(57)【要約】【課題】送信されるファイルの中に処理能力を超えた画像が含まれ受信ができなかったり遅延が生じたりした場合でも、端末装置側では画像ファイルのブロックに所定の代替画像を挿入表示することにより閲覧サービス提供を可能とし、データ遅延または矛盾による、システムハングアップを改善することができる画像代替表示法，画像代替表示システムおよび該システムに用いる端末装置を提供する。【解決手段】サーバ装置ではホームページをパケットに分割してモバイル端末装置に送信する。モバイル端末装置２ａ〜２ｎはネットワーク３を介し無線回線によりホームページの分割したパケットを受信し、受信できなかった場合は画像ファイルのブロックに代替画像を挿入する。通信環境が悪い場合ではホームページを受信してモバイル端末装置に表示する。【選択図】図１
2008090793.tif 000002
【特許請求の範囲】
【請求項１】
送信ファイルに含まれる画像ファイルを複数のパケットに分割する分割処理工程と、
前記画像ファイルのパケットのヘッド情報を参照することにより前記画像ファイルを前記パケットの１個以上により構成されるブロックに分け、ブロックに対し代替サイズの代替画像を用意する代替画像準備工程と、
前記パケットが送られ、送られるパケットの所定回数以上のリトライ受信動作にもかかわらず受信できないとき、そのパケットを含んで構成されるべきブロックにパケットの代わりに前記代替画像を挿入する代替画像挿入工程と、
挿入した代替画像を表示する代替画像表示工程と、
からなることを特徴とする画像代替表示法。
【請求項２】
所定回数未満のリトライ受信動作でパケットを受信した場合、受信したパケット数が代替サイズに達していないときは、繰り返しパケットの受信動作を行い、
受信したパケット数が代替サイズに達したときは、受信したパケット対応のブロックを受信した画像で表示する受信画像表示工程を含むことを特徴とする請求項１記載の画像代替表示法。
【請求項３】
前記画像ファイルのすべてのブロックについて受信動作が終了したか否かを判定し、すべてのブロックについて受信動作を終了していない場合、受信していないパケットの受信動作に移行し、
すべてのブロックについて受信動作を終了した場合、画像ファイルのブロックの中に代替画像が表示されているブロックがあるか否かを判定し、すべてのブロックに代替画像が表示されていないときは、画像ファイルの受信動作を終了し、
代替画像が表示されているブロックが存在しているときは、代替画像が表示されているブロック対応のパケットの受信動作を行う受信画像判定工程とを含むことを特徴とする請求項２記載の画像代替表示法。
【請求項４】
ウエブページを公開するサーバ装置と、ネットワークと、前記ネットワークにより前記サーバ装置にアクセスし、ウエブページのファイルをダウンロードしてウエブぺージを表示する１以上の端末装置からなるファイル転送システムであって、
前記サーバ装置は送信ファイルに含まれる画像ファイルを複数のパケットに分割する分割処理部と、
前記画像ファイルを分割したパケットを前記端末装置に送信する送信手段とを有し、
前記端末装置は、
前記画像ファイルのパケットのヘッド情報を参照することにより前記画像ファイルを前記パケットの１個以上により構成されるブロックに分け、ブロックに対し代替サイズの代替画像を格納するメモリ部と、
前記パケットが送られ、送られるパケットの所定回数以上のリトライ受信動作にもかかわらず受信できないとき、そのパケットを含んで構成されるべきブロックにパケットの代わりに前記メモリ部の代替画像を挿入する代替画像挿入処理部と、
挿入した代替画像を表示する代替画像表示処理部とを有し、
前記サーバ装置からの画像ファイルをブロック単位で受信をしなかった場合、そのブロックに代替画像を挿入して表示することを特徴とする画像代替表示システム。
【請求項５】
所定回数未満のリトライ受信動作でパケットを受信した場合、受信したパケット数が代替サイズに達していないときは、繰り返しパケットの受信動作を行い、
受信したパケット数が代替サイズに達したときは、受信したパケット対応のブロックを受信した画像で表示する受信画像表示処理部を備えることを特徴とする請求項４記載の画像代替表示システム。
【請求項６】
前記画像ファイルのすべてのブロックについて受信動作が終了したか否かを判定し、すべてのブロックについて受信動作を終了していない場合、受信していないパケットの受信動作に移行し、
すべてのブロックについて受信動作を終了した場合、画像ファイルのブロックの中に代替画像が表示されているブロックがあるか否かを判定し、すべてのブロックに代替画像が表示されていないときは、画像ファイルの受信動作を終了し、
代替画像が表示されているブロックが存在しているときは、代替画像が表示されているブロック対応のパケットの受信動作を行う受信画像判定部を備えることを特徴とする請求項５記載の画像代替表示システム。
【請求項７】
画像ファイルを、パケットの１個以上により構成されるブロックに分け、各ブロックを代替サイズとして代替画像を格納するメモリ部と、
前記パケットが送られ、送られるパケットの所定回数以上のリトライ受信動作にもかかわらず受信できないとき、そのパケットを含んで構成されるべきブロックにパケットの代わりに前記メモリ部の代替画像を挿入する代替画像挿入処理部と、
挿入した代替画像を表示する代替画像表示処理部と、
を有することを特徴とする端末装置。
【請求項８】
前記ブロックのサイズが挿入される代替画像のサイズより大きい場合には、代替画像が挿入されないブロックのドット部分に予め決められたデータを挿入して埋め、
前記ブロックのサイズが挿入される代替画像のサイズより小さい場合には、代替画像の一部のドットを削除して前記ブロックのサイズに一致させて挿入するドット補完／削除調整部を有することを特徴とする請求項７記載の端末装置。
【請求項９】
前記端末装置は前記ネットワークと通信する有線または無線の通信機能を有するモバイル端末装置であることを特徴とする請求項７または８記載の端末装置。
【発明の詳細な説明】
【技術分野】
【０００１】
本発明は、モバイル端末などで、フルブラウザでホームページを表示する場合、分割した仮の画像を表示することにより、パケットの遅延による表示待ちまたは通信待ちを極力回避することができる画像代替表示法，画像代替表示システムおよび該システムに用いる端末装置に関する。
【背景技術】
【０００２】
モバイル端末装置でＷＥＢ上のホームページを表示する場合、通信形態により大きな画像や数多くの画像があると、通信に遅延が生じたとき、いつまでも通信待ち状態になり、画面が更新されない。モバイル端末装置の処理能力を超えた画像が含まれている場合には、サービスが提供されないこととなる。場合によってはモバイル端末装置自体がハングアップしてしまうことになる。
【０００３】
サーバ装置からホームページをダウンロードする通信について、その方法，サーバ装置および携帯端末装置の構成が種々提案されている。
特許文献１は、携帯電話端末間で絵文字を電子メールで送る場合の携帯情報端末システムに関し、送信元携帯電話端末が予め登録されている絵文字ではなく自らが絵文字を作成して送信先携帯電話端末に送るときの画像送受信方法を提案するものである。ユーザ入力情報とそれに関連付けられたビットマップデータと色情報を受けて、送信先携帯電話端末で絵文字を再生するものである。
この提案はパケットによって情報がすべて送信されるされることが前提であり、画像サイズが大きく受信環境が悪いために送信先携帯電話端末に円滑に受信されないことは考慮されていない。
【０００４】
特許文献２は、携帯端末の情報表示画面の解像度に応じて最適な大きさの画像を表示する画像データ送受信システムを提供するもので、サーバ側が受信すべき携帯端末の情報表示画面の解像度に応じた複数のシンボル画像データを記憶しておき、携帯端末から受信した解像度関連情報に基づいて携帯端末に送信するシンボル画像データを判定して送るように構成したものである。これにより携帯端末に適切に表示できるようにしたものである。
【０００５】
特許文献３は、画像データ受信方法及びアダプタ装置などに関し、受信装置のメモリ量を縮小し、コスト及び消費電力を低減できることを目的とするものである。そのために受信した符号化データを復号化し受信装置の画像処理能力に応じて解像度変換するか、またはクリッピング処理して画像出力部に出力するように構成されている。
特許文献２および３は、特許文献１と同様、すべての情報の受信が携帯端末に適切な画像表示の前提になっているもので、一部の情報が回線状態が悪いため速やかに受信できない場合、それぞれの目的を達成することができない。
【０００６】
特許文献４は、サーバ装置及びウエブデータ変換方式に関し、ＷＷＷページを携帯情報端末装置で閲覧できるようにするウエブサーバ装置を提供することを目的とするもので、ウエブサーバ装置は各端末装置の要求に応じてページデータをインターネット上のウエブサーバから取得し、取得したページデータを転送先の端末装置のリソース情報に基づいて端末装置に適合するようにデータ変換し、これを端末装置に転送している。
【０００７】
特許文献５は、データ変換システムおよびデータ変換方法に関し、ＷＡＰプロキシにおいて取得したページデータを転送先の端末装置のリソース情報に基づいて端末装置に適合するようにデータ変換を行い、それを端末装置に転送することにより、サーバ装置が予め各端末装置ごとのデータ変換情報を保持する必要ないようにするものである。
上記特許文献４および５は  サーバ装置側で端末装置に適合するようにデータ変換してから送るもので、やはり送信中の受信状態が悪くなった場合の対策は何ら提案するものではない。
【特許文献１】特開２００５−２２３７３１号公報
【特許文献２】特開２００５−１２８８０１号公報
【特許文献３】特開２００２−１８５９６１号公報
【特許文献４】特開平１１−２５０００９号公報
【特許文献５】特開２００１−２２２４８７号公報
【発明の開示】
【発明が解決しようとする課題】
【０００８】
従来は、上述したように配信するためのデータをパケット形式にするため、特に含まれる画像データを考慮していない。その結果、バナー広告等が含まれる場合、画像の大きさによってはモバイル端末装置はかなりの負荷になる。
その結果、通信途中に通信状態によっては、画面の表示が停止したり、いつまでもパケット待ちの通信状態から抜けられなくなる。
具体的にはサーバ装置から無線通信回線を介してパソコン端末の表示（１０２４×７６８など）に合わせて作られているホームページをモバイル端末に送る場合、パソコンにダウンロードする場合に比較し送信速度が遅いため、すべての情報を受信する時間がかかるとともに受信環境が悪くなっているときには、ハングアップと同様な状態になってパケット待ちの通信状態で動かなくなる。また、モバイル端末の画面が小さいため、すべての表示を確認するにはスクロールして確認することになるが、携帯端末の画面が送られてくるホームページの未だ受信できない部分を表示する位置になっている場合には、受信表示がなされず、ユーザにとって非常に不愉快な使用状況となる。
【０００９】
本発明は上記状況に鑑みたもので、その目的は、送信されるファイルの中に処理能力を超えた画像が含まれ受信ができなかったり遅延が生じたりした場合でも、端末装置側では画像ファイルのブロックに所定の代替画像を挿入表示することにより閲覧サービス提供を可能とし、データ遅延または矛盾による、システムハングアップを改善することができる画像代替表示法，画像代替表示システムおよび該システムに用いる端末装置を提供することにある。
【課題を解決するための手段】
【００１０】
前記目的を達成するために本発明の請求項１は、送信ファイルに含まれる画像ファイルを複数のパケットに分割する分割処理工程と、前記画像ファイルのパケットのヘッド情報を参照することにより前記画像ファイルを前記パケットの１個以上により構成されるブロックに分け、ブロックに対し代替サイズの代替画像を用意する代替画像準備工程と、前記パケットが送られ、送られるパケットの所定回数以上のリトライ受信動作にもかかわらず受信できないとき、そのパケットを含んで構成されるべきブロックにパケットの代わりに前記代替画像を挿入する代替画像挿入工程と、挿入した代替画像を表示する代替画像表示工程とからなることを特徴とする。
本発明の請求項２は請求項１記載の発明において所定回数未満のリトライ受信動作でパケットを受信した場合、受信したパケット数が代替サイズに達していないときは、繰り返しパケットの受信動作を行い、受信したパケット数が代替サイズに達したときは、受信したパケット対応のブロックを受信した画像で表示する受信画像表示工程を含むことを特徴とする。
本発明の請求項３は請求項２記載の発明において前記画像ファイルのすべてのブロックについて受信動作が終了したか否かを判定し、すべてのブロックについて受信動作を終了していない場合、受信していないパケットの受信動作に移行し、すべてのブロックについて受信動作を終了した場合、画像ファイルのブロックの中に代替画像が表示されているブロックがあるか否かを判定し、すべてのブロックに代替画像が表示されていないときは、画像ファイルの受信動作を終了し、代替画像が表示されているブロックが存在しているときは、代替画像が表示されているブロック対応のパケットの受信動作を行う受信画像判定工程とを含むことを特徴とする。
本発明の請求項４はウエブページを公開するサーバ装置と、ネットワークと、前記ネットワークにより前記サーバ装置にアクセスし、ウエブページのファイルをダウンロードしてウエブページを表示する１以上の端末装置からなるファイル転送システムであって、前記サーバ装置は送信ファイルに含まれる画像ファイルを複数のパケットに分割する分割処理部と、前記画像ファイルを分割したパケットを前記端末装置に送信する送信手段とを有し、前記端末装置は、前記画像ファイルのパケットのヘッド情報を参照することにより前記画像ファイルを前記パケットの１個以上により構成されるブロックに分け、ブロックに対し代替サイズの代替画像を格納するメモリ部と、前記パケットが送られ、送られるパケットの所定回数以上のリトライ受信動作にもかかわらず受信できないとき、そのパケットを含んで構成されるべきブロックにパケットの代わりに前記メモリ部の代替画像を挿入する代替画像挿入処理部と、挿入した代替画像を表示する代替画像表示処理部とを有し、前記サーバ装置からの画像ファイルをブロック単位で受信をしなかった場合、そのブロックに代替画像を挿入して表示することを特徴とする。
本発明の請求項５は請求項４記載の発明において所定回数未満のリトライ受信動作でパケットを受信した場合、受信したパケット数が代替サイズに達していないときは、繰り返しパケットの受信動作を行い、受信したパケット数が代替サイズに達したときは、受信したパケット対応のブロックを受信した画像で表示する受信画像表示処理部を備えることを特徴とする。
本発明の請求項６は、請求項５記載の発明において前記画像ファイルのすべてのブロックについて受信動作が終了したか否かを判定し、すべてのブロックについて受信動作を終了していない場合、受信していないパケットの受信動作に移行し、すべてのブロックについて受信動作を終了した場合、画像ファイルのブロックの中に代替画像が表示されているブロックがあるか否かを判定し、すべてのブロックに代替画像が表示されていないときは、画像ファイルの受信動作を終了し、代替画像が表示されているブロックが存在しているときは、代替画像が表示されているブロック対応のパケットの受信動作を行う受信画像判定部を備えることを特徴とする。
本発明の請求項７は、画像ファイルを、前記パケットの１個以上により構成されるブロックに分け、各ブロックを代替サイズとして代替画像を格納するメモリ部と、パケットが送られ、送られるパケットの所定回数以上のリトライ受信動作にもかかわらず受信できないとき、そのパケットを含んで構成されるべきブロックにパケットの代わりに前記メモリ部の代替画像を挿入する代替画像挿入処理部と、挿入した代替画像を表示する代替画像表示処理部とを有することを特徴とする。
本発明の請求項８は、請求項７記載の発明において前記ブロックのサイズが挿入される代替画像のサイズより大きい場合には、代替画像が挿入されないブロックのドット部分に予め決められたデータを挿入して埋め、前記ブロックのサイズが挿入される代替画像のサイズより小さい場合には、代替画像の一部のドットを削除して前記ブロックのサイズに一致させて挿入するドット補完／削除調整部を有することを特徴とする。
本発明の請求項９は、請求項７または８記載の発明において前記端末装置は前記ネットワークと通信する有線または無線の通信機能を有するモバイル端末装置であることを特徴とする。
【発明の効果】
【００１１】
上記構成によれば、いつまでも通信待ち状態になり、画面が更新されない不便性を解消することができる。処理能力を超えた画像が含まれた場合でも、代替画像により、サービス提供が可能となる。データ遅延または矛盾による、システムハングアップを改善することができる。
さらに送られる画像が例えば年齢制限のあるコンテンツ等の場合、その画像を差し替えて表示することにより、特定の画像のダウンロードを回避することができる。
画像をすべて代替画像のみにすれば、一層の通信時間および経費の削減を実現することができる。
【発明を実施するための最良の形態】
【００１２】
以下、図面を参照して本発明の実施の形態を詳しく説明する。
図１は  本発明による画像代替表示法を用いたＷＥＢシステムの概略を示す図である。
モバイル端末装置２ａ〜２ｎは例えば５型の画面で、解像度が１０２４×７６８，８００×６００，６４０×４８０，３２０×２４０の設定が可能である。各モバイル端末装置２ａ〜２ｎは無線によりネットワーク３を介してサーバ装置１のホームページにアクセスし、閲覧をすることができる。サーバ装置１はホームページのＨＴＭＬファイルをそのままのサイズで多数のパケットに分割し、分割したパケットをアクセスしたモバイル端末装置にダウンロードする。モバイル端末装置は例えば解像度を３２０×２４０に設定した状態で６４０×４８０のサイズのホームページをダウンロードすると、ホームページの１／４の領域を表示することとなり、画面に表示されていない残りの領域を表示させるためにスクロール操作を行ってすべての領域を閲覧することが可能である。
【００１３】
図２は、本発明によるシステムに用いるサーバ装置の実施の形態を示す回路ブロック図である。
サーバ装置１には多数のウエブページのデータを格納するデータベース２０が接続されている。ウエブページ送受信制御部２１は通信装置２３を通じてモバイル端末装置からウエブページ閲覧要求を受信すると、閲覧要求のあったウエプページのＨＴＭＬ形式ファイルをページパケット生成部２２に渡す。ページパケット生成部２２は渡されたＨＴＭＬ形式ファイルを決められたデータサイズに分割しそれぞれをパケット化する。１パケットは１２８バイトサイズであり、開始符号，宛て先アドレス，送信元アドレスおよびその他の情報よりなるヘッダ情報と、データ部分と、誤り検出用情報および終了符号からなるトレーラとにより構成される。ヘッダ情報にはウエブページのテキスト部分，画像部分，スクリプト情報を識別する情報が盛り込まれ、画像部分ヘッダ情報には画像サイズ，パケット数，そのパケット通し番号が含まれる。
【００１４】
このようにして生成されたパケットはウエブ送受信制御部２１によって通信装置２３，ネットワークを通じて閲覧要求のあったモバイル端末装置に送られる。パケットは通し番号にしたがって順番に送られることとなる。
【００１５】
図３は本発明によるシステムに用いるモバイル端末装置の実施の形態を示す回路ブロック図である。
この回路ブロックは、所定のＯＳが搭載され、閲覧ソフトがインストールされたパソコン機能を有し、本発明に直接関連する部分のみを記載したものである。
メモリ部１２，ＣＰＵ１３，通信装置１４，操作部１５，入出力インターフェース１６，液晶駆動部１７および液晶表示部１８を含んで構成されている。
メモリ部１２には、パソコン機能ＯＳ，ウエブページ閲覧ソフト，代替挿入するための代替画像（例えば１６×１６ドットなどの画像データ）およびデータが格納されている。操作部１５は多数のキーを配置した入力部であり、各キー操作信号は入出力インターフェース１６を介してＣＰＵ１３に送られる。入出力インターフェース１６には音声やイメージの情報を出力したり、データを入出力したりするための複数の入出力端子１９が接続されている。
【００１６】
液晶駆動部１７はＣＰＵ１３からの画像処理の情報を受けて駆動され、液晶表示部１８に画像を表示する。
ＣＰＵ１３は、パソコン機能ＯＳを読み込み，操作ボタンやデータの入出力処理，演算および画像処理，通信処理，画像表示処理などを行うシステム制御部１３ａの機能の他、閲覧ソフトの起動により実現される代替画像準備処理部１３ｂ，代替画像挿入処理部１３ｃ，代替画像表示制御部１３ｄ，受信画像表示制御部１３ｅおよび判定部１３ｆの機能を有する。
代替画像準備処理部１３ｂはシステム制御部１３ａが送信ファイル中に画像ファイルが存在することをパケットのヘッド情報で検出すると、メモリ部１２から代替画像を読み出し、ＣＰＵ内のキャッシュに読み込み、画像のパケットデータ受信動作に対し、いつでも受信画像の一部に挿入できるように準備を行うものである。
【００１７】
代替画像挿入処理部１３ｃは、ウエブページ中の受信できなかった（例えばパケットを５回リトライしても受信しない場合、受信できないと判断）パケットを含む画像ファイルのブロックにキャッシュ内の代替画像を挿入する処理を行うものである。
代替画像表示制御部１３ｄは現在受信中の画像ファイルの受信できないパケットにより構成されるブロックに挿入された代替画像を表示制御するものである。
【００１８】
受信画像表示制御部１３ｅは画像ファイルのブロックを構成する例えば２つのパケットを受信したか、すなわちブロック部分の代替サイズに達したか否かを判断し、代替サイズに達していない場合には残りのパケット受け取り動作を行い、代替サイズに達した場合は、そのブロック部分の受信画像を表示する。そして画像ファイル中のすべてのブロックについて受信動作を行ったか否かを判断し、すべてのブロックについて受信動作を終了していない場合はパケット受け取り動作に移り、すべてのブロックについて受信動作を終了した場合は、画像ファイル中に代替画像が表示されているか否かの判断を行う判定部１３ｆに制御を渡すものである。
判定部１３ｆは、上記のように表示されている画像ファイル中に代替画像が含まれているか否かを判断し、含まれていない場合には、その時点で画像ファイル受信動作を終了し、含まれている場合には、そのブロックの受信していないパケットの受け取り動作に移行するものである。
【００１９】
図４は、送信ファイルページの画像ファイルをダウンロードし端末側で画像表示する例を説明するための図である。
サーバ装置側で送信ファイルページ中の図４（ａ）の画像ファイルは例えば２４個のパケットで分割され（図４（ｂ））、図４（ｃ）に示すようにパケットを順番にモバイル端末側に転送する。
受信側では通常は送られてきたパケット（図４（ｄ））を通し番号順に組み立て（図４（ｅ））元の画像を表示部に表示する（図４（ｆ））。
【００２０】
図５は、本発明における画像ファイルのブロックの割り当て方法の一例を説明するための図である。
画像ファイルをパケット分割し、モバイル端末装置では例えば２個のパケットで１ブロックを構成するようにして１６×１６ドットの代替画像を用意する。この例では画像ファイルは１２個のブロックで構成されており、第１ブロック，第４ブロック，第７ブロックおよび第１０ブロックについてはパケットの１つ（（ａ）の斜線で表した部分）が受信できなかったため、組み立てられた画像の第１ブロック，第４ブロック，第７ブロック，第１０ブロックには代替画像（（ｃ）の斜線で表した部分）が挿入されて表示される。
このようにして受信できなかったパケットがあったとしても、モバイル端末装置には要求したホームページが表示される。この表示の後は、受信できなかったパケットの受信動作を続け、受信できたとき、代替画像が挿入されたブロックは、受信できた画像部分に置き換えられる。
【００２１】
図６は本発明による画像代替表示法の流れを説明するためのフローチャートである。
モバイル端末装置においてユーザが閲覧ソフトを起動し操作部１５によって希望するホームページを閲覧するために液晶表示部１８に表示されるＵＲＬをクリックすると、この情報は入出力インターフェース１６を介してシステム制御部１３ａに送られる（ステップ（以下「Ｓ」という）６０１）。
システム制御部１３ａはサーバ装置に対し、閲覧要求を送出すると、ウエブページ送受信制御部２１はデータベース２０から対応のホームページのデータを読み出し、ページパケット生成部２２によってパケットを生成し、通信装置２３を通じてモバイル端末装置に送信を開始する。モバイル端末装置側ではシステム制御部１３ａが送られてくるホームページを受信し読み取りを開始する（Ｓ６０２）。そして、送られてくるパケットがテキスト部分のパケットであるか否かをヘッド情報から判別する（Ｓ６０３）。テキスト部分であれば、メモリ部１２に読み込み（Ｓ６０４）、テキストのパケットの読み込みが終了していなければ読み込んだパケットを液晶表示部１８に表示し（Ｓ６０５，Ｓ６０６）、Ｓ６０２に戻ってつぎのテキストのパケットの読み込みを行う。
【００２２】
Ｓ６０３でテキスト部分でないと判定した場合、つぎに画像データか否かを判別する（Ｓ６０７）。画像データであれば、本発明の画像表示方法である図７のフローに進む。画像データでなければ、つぎに動画フラッシュであるか否かを判別する（Ｓ６０８）。動画フラッシュでなければ、スキップまたはエラー処理してホームページ受信終了か否かを判別し（Ｓ６０９，Ｓ６０５）、受信終了でなければ、表示した（Ｓ６０６）後、Ｓ６０２に戻りつぎのパケットを受信する。
動画フラッシュであれば、動画の読み込み処理を行い（Ｓ６１０）、動画フラッシュを表示し（Ｓ６１１）、その後にＳ６０２に戻りつぎのパケットを受信する。
Ｓ６０５の終了判別で、ホームページのパケットをすべて受信した場合には、ホームページ全体を表示する（Ｓ６１２）。
【００２３】
図７は画像ファイルダウンロードに注目した流れを説明するためのフローチャートである。図６のＳ６０７でシステム制御部１３ａが画像データであると判別した場合、その制御を代替画像準備処理部１３ｂに渡す。代替画像準備処理部１３ｂはパケットのヘッド情報より画像ファイルのサイズを確認し、画像データに対応する代替画像をメモリ部１２から読み出し、ＣＰＵ内のキャッシュに読み込む。代替画像は複数（１６×１６ドット，３２×３２ドット，６４×６４ドットなど）用意され画像ファイルのサイズ対応に読みだされる代替画像が決められている。システム制御部１３ａは画像パケット受け取り動作を行い（Ｓ７０３）、画像パケットが回線の影響などにより受け取れない場合にはリトライを繰り返す。リトライを所定回数（例えば５回）行ってもパケットを受信できなかった場合には受け取れなかったと判定する。
【００２４】
代替画像挿入処理部１３ｃは、受信できなかったと判定された場合、そのパケットを含む画像ファイルのブロックにキャッシュ内の代替画像を挿入する（Ｓ７０４，Ｓ７０５）。これにより代替画像表示制御部１３ｄは画像ファイルのブロックを液晶表示部１８に表示し（Ｓ７０６）、つぎのブロックを構成するパケットの受け取り動作に戻る（Ｓ７０３）。一方、Ｓ７０４でパケットを受け取った場合には制御は受信画像表示制御部１３ｅに渡される。受信画像表示制御部１３ｅは画像ファイルのブロック（例えば２つのパケットで構成されている）を構成するパケットを受信し、ブロックを構成する複数のパケットを受信したか、すなわちブロック部分の代替サイズに達したか否かを判断し（Ｓ７０７）、代替サイズに達していない場合にはＳ７０３に移行する。そしてシステム制御部１３ａが残りのパケット受け取り動作で所定回数リトライを行っても残りのパケットを受信できなかった場合には（Ｓ７０４）、受け取れなかったと判定し、代替画像挿入処理部１３ｃは代替画像を挿入して代替画像を挿入したブロックを表示し（Ｓ７０５，Ｓ７０６）、つぎのブロックのパケットを受け取りにいく（Ｓ７０３）。
【００２５】
残りのパケットを受信した場合には受信画像表示制御部１３ｅは画像ファイルのブロックが代替サイズになっているか否か判定し（Ｓ７０７）、代替サイズに達していない場合には上記のようにＳ７０３の画像パケット受け取りに移行する。代替サイズに達していれば、そのブロック部分の受信画像を表示する（Ｓ７０８）。そして画像ファイル中のすべてのブロックについて受信動作を終了したか否かを判断し（Ｓ７０９）、すべてのブロックについて受信動作を終了していない場合はＳ７０３のパケット受け取り動作に移行し、受信していないブロックのパケットの受信動作を行う。すべてのブロックについて受信動作を終了した場合は、判定部１３ｆに制御を渡す。
判定部１３ｆは、表示されている画像ファイル中に代替画像が含まれているか否かを判断し（Ｓ７１０）、含まれていない場合には、その時点で画像ファイル受信動作を終了し（Ｓ７１１）、含まれている場合には、Ｓ７０３に移行しそのブロックの受信していないパケットの受け取り動作を行う。
【００２６】
このように動作させることにより、画像ファイルの一部のパケットを受信できない場合でも代替画像を挿入することにより、遅延することなく画像ファイルを含むホームページを閲覧することができる。代替画像はそのパケットを順次受信することにより受信画像を挿入するため、当初は代替画像が含まれていたホームページは受信すべき画像ファイルに差し替えられる。
【００２７】
図８Ａはダウンロードするホームページの具体例を、図８Ｂはダウンロードしたホームページの具体例を示す図である。
図８Ａに示すようなホームページを閲覧する場合、３０に示す画像ファイルが含まれている場合、受信環境が十分でないとき、モバイル端末装置側で用意した代替画像３１が受信できなかったブロックに挿入されて表示される。モバイル端末装置の表示部にはホームページが遅延なく表示されるが、代替画像３１が挿入された画像ファイル３２が表示される。したがって、モバイル端末装置ではユーザは速やかに閲覧ソフトを操作可能となる。時間が経過するにしたがって少しずつ代替画像は本来の画像に置き変わる。
【００２８】
代替画像は予め用意した各サイズの他に、自ら作成して自作代替画像をホームページの画像に挿入することも可能である。画像生成機能部を追加し、この機能を起動して操作部で代替画像を構成する部分をサンプルから読み出し割り当てたり、自らタッチペンなどを使用して書き込んだりして、自作代替画像を完成させ、メモリ部の代替画像格納領域に追加することにより、自作代替画像を用いることができる。自作代替画像は種々のサイズで作成でき、システム制御部が受信すべき画像ファイルのサイズに対応付けて各サイズの代替画像を選択させることにより、受信できなかった画像ファイルのブロックに挿入できる。
【００２９】
なお、自作代替画像や予め用意されている代替画像を対応付けたとき、ブロックのサイズと上記代替画像のサイズが異なる場合が生ずる。このような場合、ブロックのサイズが挿入される代替画像のサイズより大きいときには、代替画像が挿入されないブロックのドット部分に予め決められたデータを挿入して埋め込む。またブロックのサイズが挿入される代替画像のサイズより小さいときには、代替画像の一部のドットを削除してブロックのサイズに一致させて挿入するドット補完／削除調整部を設ける。
【００３０】
以上の実施の形態は、サーバ装置から通信環境の影響を受け易い無線ネットワークでモバイル端末装置にホームページをダウンロードし表示する例について説明したが、有線により通信を行い、パソコン端末などで受信する場合についても同様に適用できるものである。
【産業上の利用可能性】
【００３１】
インターネットのウエブからホームページをダウンロードしてモバイル端末装置などで閲覧する画像代替表示法，画像代替表示システムおよび該システムに用いる端末装置である。
【図面の簡単な説明】
【００３２】
【図１】本発明による画像代替表示法を用いたＷＥＢシステムの概略を示す図である。
【図２】本発明によるシステムに用いるサーバ装置の実施の形態を示す回路ブロック図である。
【図３】本発明によるシステムに用いる端末装置の実施の形態を示す回路ブロック図である。
【図４】送信ファイルページの画像ファイルをダウンロードし端末側で画像表示する例を説明するための図である。
【図５】画像ファイルのブロックの割り当て方法の一例について説明するための図である。
【図６】本発明による画像代替表示法の流れを説明するためのフローチャートである。
【図７】画像ファイルダウンロードに注目した流れを説明するためのフローチャートである。
【図８Ａ】ダウンロードするホームページの具体例を示す図である。
【図８Ｂ】ダウンロードしたホームページの具体例を示す図である。
【符号の説明】
【００３３】
１  サーバ装置  
２ａ・・・２ｎ  端末装置
３  ネットワーク  
１２  メモリ部
１３  ＣＰＵ
１４，２３  通信装置
１５  操作部
１６  入出力インターフェース
１７  液晶駆動部
１８  液晶表示部
２０  データベース
２１  ウエブページ送受信制御部
２２  ページパケット生成部
２４  バス  
【図１】
2008090793.tif 000003
【図２】
2008090793.tif 000004
【図３】
2008090793.tif 000005
【図４】
2008090793.tif 000006
【図５】
2008090793.tif 000007
【図６】
2008090793.tif 000008
【図７】
2008090793.tif 000009
【図８Ａ】
2008090793.tif 000010
【図８Ｂ】
2008090793.tif 000011